(57)【要約】ヒンジ蓋付きボックスタイプのシガレットパックが、ほぼ円形、または、完全に円形の側部壁(１９、２０)と蓋の側部壁(２４、２５)を備える。側部壁は、この場合、半径を異にする複数の円形領域で構成されるとともに、平面的な中央サイドストリップを備えている。
2005523854.tif 000002
【特許請求の範囲】
【請求項１】
ボックス部(１１)と、ボックス部に接続された蓋(１２)と、カラー(１３)とを含み、ボックス部(１１)と蓋(１２)が、円形断面の対応する直立前部および後部縁部(３５，３６)-円形縁部-を形成するヒンジ蓋付きボックス(ヒンジ蓋付きパック)タイプのシガレットパックであって、
パック縁部(３５，３６)の円形部分は、シガレット(１０)の半径よりも相当に大きい、すなわち、６mm〜１０mm、特に(約)８mmの(仮想)半径を有するシガレットパック。
【請求項２】
側部壁(１９，２０)と蓋の側部壁(２４，２５)は、前部と後部の円形パック縁部(３５，３６)から形成されており、比較的幅の狭い平面の中間領域-サイドストリップ(３８)-(平面状の)サイドストリップ(３８)は、好ましくは、７mm〜８mmの幅を有する請求項１記載のシガレットパック。
【請求項３】
側部壁(１９，２０)および蓋の側部壁(２４，２５)は、全体に円形、すなわち、円形の前部および後部のパック縁部(３５，３６)と、これらの間に設けられ、円形のパック縁部(３５，３６)の半径よりも相当に大きい、すなわち、１５mm〜２０mm、特に、約１７mmの(仮想)半径を備える円形領域(３７)を有する請求項１記載のシガレットパック。
【請求項４】
それぞれの側部壁(１９，２０)と蓋の側部壁(２４，２５)を形成するサイドタブ(２９，３０)および蓋の側部タブ(３１，３２)は、サイドストリップ(３８)の領域においてのみ互いに重なり、(接着により)互いに接続される請求項２記載のシガレットパック。
【請求項５】
それぞれの側部壁(１９，２０)と蓋の側部壁(２４，２５)を形成するサイドタブ(２９，３０)および蓋の側部タブ(３１，３２)は、円形領域(３７)においてのみ互いに重なり、(接着により)互いに接続される請求項３記載のシガレットパック。
【請求項６】
シガレットパックを製造するためのブランクは、部分的に重なる側部タブ(２９，３０)と蓋の側部タブ(３１，３２)を含む側部壁(１９，２０)および蓋の側部壁(２４，２５)を有し、前記側部タブ(２９，３０)および蓋の側部タブ(３１，３２)は、少なくとも円形部分を形成する領域において、すなわち、円形のパック縁部(３５，３６)および円形領域(３７)において、全体に、すなわち、それらの幅全体に亘って切れ目(３９)を備える請求項１〜５のいずれか１記載のシガレットパック。
【請求項７】
外側の側部タブ(２９)および/または内側の側部タブ(３０)および/または外側の蓋の側部タブ(３１)および/または内側の蓋の側部タブ(３２)は、側部壁(１９，２０)および蓋の側部壁(２４，２５)の平面状の境界ストリップ(４５)の領域において、平面状の重なり部を形成するための切れ目のない外側の境界ストリップ(４５)を備えている請求項６記載のシガレットパック。
【請求項８】
ベース壁(２１)および/または端部壁(２６)の領域におけるコーナタブ(４１，４２)は、曲折状態において、その外形と大きさが、円形のパック縁部(３５，３６)および隣接する側部壁(１９，２０)および/または蓋の側部壁(２４，２５)の領域と向き合って形状が合致して接するように設計される請求項１〜７のいずれか１記載のシガレットパック。
【請求項９】
ベース壁(２１)および/または端部壁(２６)には、側部壁(１９，２０)および/または蓋の側部壁(２４，２５)の領域において、それぞれに２つのコーナタブ(４１，４２)が充当されており、
それぞれに相互作用を行うコーナタブ(４１，４２)は、楔状の打ち抜き部(４３)によって互いに分離されており、前記２つのコーナタブ(４１，４２)は、曲折状態においては、隙間のない態様で互いに向き合って直接接する請求項１〜８のいずれか１記載のシガレットパック。
【発明の詳細な説明】
【技術分野】
【０００１】
この発明は、ボックス部と、ボックス部に接続された蓋と、カラーとを含むヒンジ蓋付きボックス(ヒンジ蓋付きパック)タイプのシガレットッパックに関し、前記ボックス部と蓋は、円形断面-円形縁部を備える対応する直立した前部および後部のパック縁部を形成する。
【背景技術】
【０００２】
【特許文献１】ＥＰ特許第０，２０４，９３３号明細書  円形のパック縁部を備えるヒンジ蓋付きボックスは知られている。この知られた断面形状におけるパック縁部の円形部分は、シガレットの寸法、すなわち、シガレットの半径に適合している。
【発明の開示】
【発明が解決しようとする課題】
【０００３】
この発明の目的は、シガレットパックすなわち円形縁部を備えるヒンジ蓋付きボックスを更に開発、改良して、改善された触感(handling)、および、多量の材料を使用せずにパックの安定性を実現することである。
【課題を解決するための手段】
【０００４】
この目的を達成するために、この発明のシガレットパックは、円形縁部の(仮想)半径が、シガレットの半径よりも相当に大きい、すなわち、前記(仮想)半径が、特に、６mm〜１０mm、好ましくは約８mmである点において規定される。シガレットの半径は約３．８mmである。
【０００５】
この発明の円形縁部の断面形状の結果として、パックの両側部壁の大部分が、円形部分すなわち円形縁部によって形成される。円形縁部の間に規定されるパックの側部壁のサイドストリップは、パックの１つの特別な具体例によれば平坦であり、別の具体例によれば、円形縁部の半径よりも相当に大きい半径の円形である。
【０００６】
この発明のパックの断面形状は、省材料の生産を可能にする。更には、ユーザによる触感(handling)が顕著な円形部分が原因で改善される。最後に、前記円形部分は、パック全体としての寸法安定性の増大をもたらす。
【０００７】
１つの特徴はブランクの構造にあり、これを詳細にいえば、一方においては、円形部分を形成するための曲折タブの調製であり、他方においては、コーナタブの構造にある。前記コーナタブは、その幾何学的形状と配置のために、ベース壁と端部壁の領域において円形部分の領域における寸法安定性の増大をもたらす。
【発明を実施するための最良の形態】
【０００８】
この発明のパックの模範具体例を添付図面を参照しつつ詳細に説明する。
【０００９】
図示の模範具体例は、シガレット１０を収容するヒンジ蓋付きボックスタイプのパックを取り扱う。そのようなパックは、(底部の)ボックス部１１と蓋１２を含む。蓋１２は、ピボット態様でボックス部１１に接続されている。このパックはまた、ボックス部１１の前側に固定されるカラー１３を含み、ボックス部１１から突出する頂部領域を有する。
【００１０】
パックの内容物、すなわち、シガレットグループ１４は、錫箔または紙製の内側ブランクによって完全に囲まれており、こうしてシガレットブロック１６が形成される。パックは通常、(図示を省略する)外側フィルムによって包まれているが、パックが初めて開封されるときに部分的に取り除かれる。
【００１１】
ボックス部１１は、前部壁１７、後部壁１８、側部壁１９、２０およびベース壁２１を有する。同様に、蓋は、蓋の前部壁２２、蓋の後部壁２３、蓋の側部壁２４、２５、および、頂端部壁２６を有する。蓋の後部壁２３は、横断方向に向く直線状の関節２７を介してボックス部１１の後部壁１８に接続されている。
【００１２】
このタイプのパック用のブランクは、前部壁１７、ベース壁２１、後部壁１８、蓋の後部壁２３、端部壁２６および蓋の前部壁２２が、連続して１つのユニットを形成するような構造とされる。蓋の前部壁２２の自由な境界面には通例の蓋の内側タブ２８が取り付けられており、前記内側タブ２８は、パックが完成されたとき、蓋の前部壁２２の内側に向かって曲折され、前記前部壁２２に接続される。
【００１３】
側部壁１９、２０および蓋の側部壁２４、２５は、一部が重なった側部タブ、つまり、外側になる側部タブ２９、内側になる側部タブ３０、外側になる蓋の側部タブ３１、および、内側になる蓋の側部タブ３２を有する。
【００１４】
カラー１３は、(図４、図８の)別体のブランクを有し、カラーの前部壁３３とカラーの側部タブ３４を含む。
【００１５】
パックの１つの特徴は、側部壁１９、２０と蓋の側部壁２４、２５の形状である。これらはすべて円形をなし、通例の円形部分を備えている。
【００１６】
図１〜４および図９の模範具体例の場合には、側部壁１９、２０および２４、２５が完全な円形である。側部壁１９、２０および２４、２５は、形状と大きさが異なり、半径を異にする円形領域を有するが、個々の領域は互いに融合し合い、段差のない態様で、つまりほぼ接線方向に関連する壁部となる。
【００１７】
ヒンジ蓋付きボックスにあっては、通例の直立したパック縁部３５、３６は、すぐにそれとわかる特徴的な円形部分を備えている。これらの各円形パック縁部３５、３６は、-それらの断面に見られるように-四分円の領域よりも相当に小さい領域を越えて延出している。円形部分、すなわち、パック縁部３５、３６の半径は、シガレット１０の円形部分よりも相当に大きく、言い換えれば、それらの半径は、６〜１０mm、特に、ほぼ８mmである。円形の中間コンポーネントすなわち円形領域３７は、結果として生じるパック縁部３５、３６の中間に形成される。この円形領域は、変わり目のない態様で、パックの縁部３５、３６に遷移して、側部壁１９、２０；２４、２５全体にスムースな円の形状を生じる。中央の円形領域３７は、パックの縁部３５、３６の円形部分よりも相当に大きい半径、すなわち、１５mm〜２０mmのオーダーの規模の半径、特に約１７mmの半径を持っている。
【００１８】
側部壁１９、２０；２４、２５は、側部タブ２９、３０；３１、３２によって形成される。前記側部タブは、中央の円形領域においてのみ互いに重なる。
【００１９】
カラー１３は、パックの内側形状に合わされる、すなわち、前側のパック縁部３５、３６の円形部分に平行である。後部においては、カラーの側部タブ３４は、パックの縁部３５、３６まで延出している。
【００２０】
図５〜図９および図１０のヒンジ蓋付きボックスの場合は、円形のパック縁部３５、３６がもっとはっきりと規定されている、すなわち、前記縁部は、まさに四分円を越えて延出している。これらの対応する円形のパック縁部３５、３６は、これらのパック縁部とともに側部壁１９、２０および蓋の側部壁２３、２４を形成するサイドストリップ３８と接している。パック縁部３５、３６の円形部分は、ここでは、接線方向に融合してサイドストリップ３８、前部壁１７、２２および後部壁１８、２３となる。サイドストリップ３８の幅は、シガレット１０の本数に依存するパックの横断方向の寸法から決まり、図示の模範具体例においては、約７mm〜８mmである。この例においても、パック縁部は約８mmの半径を備えている。
【００２１】
側部タブ２９、３０；３１、３２は、中央のサイドストリップ３８の領域、詳しくは、前記サイドストリップの中央のサブ領域においてのみ互いに重なっており、約０．５mmのスペースが両側に残されている(図１０参照)。
【００２２】
パックを製造するためのブランクは、パックの形状と特別な態様で調整されている。図９の断面形状を呈するパック用のブランクは、図３に示されており、このブランクは、側部タブ２９、３０および蓋の側部タブ３１、３２の全幅を越える円形領域のために提供される。詳細にいえば、前記ブランクは、これらのブランクの諸部分のおかげで前記円形領域に対応するように、特定すれば、ブランクが打ち抜かれることによって導入される長手方向に平行して延出する切れ目３９を設けることによって予備処理が施される。切れ目３９によって提供されるこれらのブランクの領域は、多数の平行な点線によって規定される。
【００２３】
ベース壁２１と端部壁２６は、パック(図９)の断面形状に合わされている。横断方向の境界４０は、円形であり、正確に言えば、図９における側部壁１９、２０；２４、２５の上記の形状、すなわち、隣接する複数の円形部分に一致する。
【００２４】
ベース壁２１と端部壁２６に専ら設けられるコーナタブ４１、４２は、特別な態様で設計される。コーナタブ４１、４２は、内側の側部タブ３０と蓋の側部タブ３２の面に、詳細には、ベース壁２１と端部壁２６に沿う自由領域における-初期位置に取り付けられる。
【００２５】
楔状の打ち抜き部４３によって互いから切り離される２つのコーナタブ４１、４２が各側に充当される。パックが完成されたとき(図２参照)、２つのコーナタブ４１、４２はそれぞれ内側において端部壁２６と向き合って接しており、側部壁１９、２０の領域においては同様にベース壁２１と向き合って接する。端部壁２６に関しては、図２にその相対的な位置が示されている。一方においては円形部分のために、他方においてはＶ字状の打ち抜き部４３のために、２つのコーナタブ４１、４２が重なることなく互いに向き合って直接接している。
【００２６】
別の特徴は、どちらの場合にも円形の前側のパック縁部３５に充当されるコーナタブ４２の形状である。必須の要件として台形を呈するコーナタブ４２は、最初は弓状、次いで直線状である傾斜外形４４を備えている。この外形は、コーナタブ４２が、この外形を介して、関連する円形のパック縁部３５、および、前部壁１７と蓋の前部壁２２の隣接領域と向き合って接するように設計される(図２参照)。コーナタブ４２は、こうして、パックの前側円形縁部３５の領域におけるパックの形状の安定化を助成する。コーナタブ４１、４２は、接着によって、ベース壁２１と端部壁２６に有利に接続されている。
【００２７】
図１０のパックを形成するブランクは、特別な態様で設計される。外側の側部タブ２９は、その全表面エリアに亘って切れ目３９を備えている。内側の側部タブ３０は、円形領域に切れ目３９、すなわち、プロセス中に形成される切れ目ストリップ４９を有する。切れ目のない境界ストリップ４５は、切れ目ストリップ４９に沿って配置されている。この境界ストリップ４５は、サイドストリップ３８の領域に延出する、すなわち、それは弓状の形態をしていない。外側の側部タブ２９は、同様に、すなわち、切れ目のない境界ストリップを備えるように設計することができる。
【００２８】
この模範具体例にあっても、コーナタブ４２は、ベース壁２１と端部壁２６の内側において、形態が合致し合う配置が可能なように設計される。外側縁部４６は、ブランクの長手方向に延出する。内側縁部４７は、僅かに傾斜した態様で延出する。
【００２９】
カラー１３(図８)は、上に説明した模範具体例の場合と同様に設計される。
【００３０】
図示の模範具体例の場合は、蓋の内側タブ２８は、ヒンジ蓋付きボックスの場合に知られている蓋１２のための閉鎖補助部材を作り出すための周辺の打ち抜き部分４８を備えている。
【００３１】
シガレット１０は、上記の態様で設計されるシガレットパックの内部において、様々なやり方で形成される。１つの有利な配置は、図９、１０によるものであって、シガレットの横断方向の複数列から構成され、各列は、２本又は３本のシガレットが並ぶ。したがって、中央の横断方向領域面には例外として、つまり、-サドル位置に-互いにオフセットされた態様でシガレットを配置することができる。並んで配置された２本のシガレットは、前記両図のどちらにおいても、該当する側部壁１９、２０および蓋の側部壁２４、２５と向かい合って配置される。
【図面の簡単な説明】
【００３２】
【図１】閉じた位置にあるシガレット用円形ヒンジ蓋付きパックの斜視図。
【図２】蓋が開いた図１のパック。
【００３３】
【図３】図１、図２のパックのための展開された、曲折されていないブランク。
【図４】図１、図２のパックのためのカラーのブランク。
【図５】図１のパックに対応するパックの別の模範具体例。
【図６】開いた位置にある図５のパック。
【図７】図５、図６のパックのための展開された、曲折されていないブランク。
【図８】図５、図６のパックのためのカラーのブランク。
【図９】図１のIX-IX断面に沿う水平断面における図１、図２のパック。
【図１０】図５のX-X断面に沿う図５、図６のパックの図９に類似したパック。
【符号の説明】
【００３４】
１０…シガレット、１１…ボックス部、１２…蓋、１３…カラー、１４…シガレットグループ、１５…内側ブランク、１６…シガレットブロック、１７…前部壁、１８…後部壁、１９…側部壁、２０…側部壁、２１…ベース壁、２２…蓋の前部壁、２３…蓋の後部壁、２４…蓋の側部壁、２５…蓋の側部壁、２６…端部壁、２７…直線状の関節、２８…蓋の内側タブ、２９…側部タブ(外側)、３０…側部タブ(内側)、３１…蓋の側部タブ(外側)、３２…蓋の側部タブ(内側)、３３…カラーの前部壁、３４…からーの側部タブ、３５…パック縁部、３６…パック縁部、３７…円形領域、３８…サイドストリップ、３９…切れ目、４０…境界、４１…コーナタブ、４２…コーナタブ、４３…打ち抜き部、４４…断面形、４５…境界ストリップ、４６…外側縁部、４７…内側縁部、４８…打ち抜き部、４９…切れ目ストリップ、
【図１】
2005523854.tif 000003
【図２】
2005523854.tif 000004
【図３】
2005523854.tif 000005
【図４】
2005523854.tif 000006
【図５】
2005523854.tif 000007
【図６】
2005523854.tif 000008
【図７】
2005523854.tif 000009
【図８】
2005523854.tif 000010
【図９】
2005523854.tif 000011
【図１０】
2005523854.tif 000012
【国際調査報告】
2005523854.tif 000013
2005523854.tif 000014
2005523854.tif 000015
2005523854.tif 000016
2005523854.tif 000017
2005523854.tif 000018